(57)【要約】【課題】発進遅れ通知の確実性を向上させることができ、運転支援の安全性を一層向上させることのできる運転支援装置を提供する。【解決手段】信号機Ｓ１の切り替わり後、自車両Ｍ１が発進可能となるタイミングが遅れるか否かを推定する遅延推定部１１と、表示色情報及び遅延推定部１１の推定結果に基づき、自車両Ｍ１の運転者に対して発進遅れ通知をすることのできる発進促進部１２とを備え、発進促進部１２は、自車両Ｍ１が発進可能となるタイミングが遅れると推定した場合、発進遅れ通知のタイミングを遅らせる。これによって、信号機が切り替わった後であっても、例えば、交差点内に他車両が滞留することによって、自車両が発進可能となるタイミングが遅れる可能性のある場合、運転者に対して発進を促す発進遅れ通知のタイミングも遅らせることによって、適切なタイミングで発進遅れ通知を行うことを可能とする。【選択図】図１
2010152494.tif 000002
【特許請求の範囲】
【請求項１】
信号機の表示色情報を取得する表示色情報取得手段と、
前記信号機の切り替わり後、自車両が発進可能となるタイミングが遅れるか否かを推定する遅延推定手段と、
前記表示色情報取得手段で取得した前記表示色情報及び前記遅延推定手段の推定結果に基づき、停止あるいは徐行している前記自車両の運転者に対して発進を促す処理を行う発進促進手段と、を備え、
前記発進促進手段は、前記遅延推定手段によって前記自車両が発進可能となるタイミングが遅れると推定された場合、推定されなかった場合に比して発進を促すタイミングを遅らせることを特徴とする運転支援装置。
【請求項２】
前記遅延推定手段は、インフラ情報に含まれる道路線形情報に基づいて、前記自車両が発進可能となるタイミングが遅れるか否かを推定することを特徴とする請求項１記載の運転支援装置。
【請求項３】
前記遅延推定手段は、インフラ情報に含まれる信号情報に基づいて、前記自車両が発進可能となるタイミングが遅れるか否かを推定することを特徴とする請求項１記載の運転支援装置。
【請求項４】
前記遅延推定手段は、渋滞状況に基づいて、前記自車両が発進可能となるタイミングが遅れるか否かを推定することを特徴とする請求項１記載の運転支援装置。
【請求項５】
前記遅延推定手段は、前記信号機における発進タイミング遅延時間を学習すると共に、学習結果に基づいて、前記自車両が発進可能となるタイミングが遅れるか否かを推定することを特徴とする請求項１記載の運転支援装置。
【発明の詳細な説明】
【技術分野】
【０００１】
本発明は、車両の運転の支援を行う運転支援装置に関する。
【背景技術】
【０００２】
従来の運転支援装置として、信号機から路車間通信によって当該信号機の表示色情報を取得すると共に、自車両前方で停車している先行車両から車間通信によって当該先行車両のアクセル踏み込み情報を取得し、表示色情報に基づいて信号機が赤信号から青信号に変化したことを検知したときに、先行車両がアクセルを踏み込んだタイミングで、自車両の運転者に対して発進可能案内メッセージを報知するものが知られている。
【特許文献１】特開２００４−３１０２８０号公報
【発明の開示】
【発明が解決しようとする課題】
【０００３】
しかしながら、信号機の表示色が切り替わると共に、先行車両のアクセルが踏み込まれた場合であっても、交差点の状況や渋滞状況などによっては、すぐに発進できない場合があり、単に先行車両のアクセル踏み込み情報のみで判断しただけでは、適切なタイミングで発進促進の通知を行なえず、運転者に誤解を与えてしまう可能性がある。従って、より確実な発進促進処理によって、運転支援の安全性を一層向上させることが求められていた。
【０００４】
本発明は、このような問題を解決するためになされたものであり、発進促進処理の確実性を向上させることができ、運転支援の安全性を一層向上させることができる運転支援装置を提供することを目的とする。
【課題を解決するための手段】
【０００５】
本発明に係る運転支援装置によれば、信号機の表示色情報を取得する表示色情報取得手段と、信号機の切り替わり後、自車両が発進可能となるタイミングが遅れるか否かを推定する遅延推定手段と、表示色情報取得手段で取得した表示色情報及び遅延推定手段の推定結果に基づき、停止あるいは徐行している自車両の運転者に対して発進を促す処理を行う発進促進手段と、を備え、発進促進手段は、遅延推定手段によって自車両が発進可能となるタイミングが遅れると推定された場合、推定されなかった場合に比して発進を促すタイミングを遅らせることを特徴とする。
【０００６】
この運転支援装置では、発進促進手段が、遅延推定手段によって自車両が発進可能となるタイミングが遅れると推定された場合、推定されなかった場合に比して発進を促すタイミングを遅らせることができる。これによって、信号機が切り替わった後であっても、例えば、交差点内に他車両が滞留することによって、自車両が発進可能となるタイミングが遅れる可能性のある場合、運転者に対して発進を促すタイミングも遅らせることによって、適切なタイミングで発進促進処理を行うことを可能とする。これによって、発進促進処理の確実性を向上させることができ、運転支援の安全性を一層向上させることができる。
【０００７】
本発明に係る運転支援装置において、遅延推定手段は、インフラ情報に含まれる道路線形情報に基づいて、自車両が発進可能となるタイミングが遅れるか否かを推定することが好ましい。インフラ情報に含まれる道路線形情報、例えば、自車両の前方の道路幅や、歩道者用信号の有無や横断歩道の有無に関する情報に基づいて、自車両が発進可能となるタイミングが遅れるか否かを推定することができる。すなわち、道路幅が大きい場合は、歩行者がその道路を横断しきるまでに時間がかかるため、歩行者用信号が点滅して赤色に変化した後でも道路上に歩行者が存在してしまい、交差道路からの右左折車両が交差点中に滞留する可能性が高くなる。また、歩行者用信号や横断歩道が存在する場合は、信号機の切り替わり時においても歩行者が横断歩道上に存在する可能性が高まるため、横断歩道の手前で待機する車両が存在する可能性が高くなる。従って、これらの道路線形情報に基づいて推定することによって、適切なタイミングで発進促進処理を行うことができる。
【０００８】
本発明に係る運転支援装置において、遅延推定手段は、インフラ情報に含まれる信号情報に基づいて、自車両が発進可能となるタイミングが遅れるか否かを推定することが好ましい。インフラ情報に含まれる道路線形情報、例えば、自車両に対する交差道路における信号機が矢灯器であるか否かや当該信号機の青信号時間に関する情報などに基づいて、自車両が発進可能となるタイミングが遅れるか否かを推定することができる。すなわち、交差道路の信号機が矢灯器である場合や、青信号時間が長い場合は、交差道路からの右折車両が交差点中に滞留する可能性が高くなる。従って、これらの信号情報に基づいて推定することによって、適切なタイミングで発進促進処理を行うことができる。
【０００９】
本発明に係る運転支援装置において、遅延推定手段は、渋滞状況に基づいて、自車両が発進可能となるタイミングが遅れるか否かを推定することが好ましい。自車両の前方の道なり道路や交差道路の渋滞状況に基づいて、自車両が発進可能となるタイミングが遅れるか否かを推定することができる。すなわち、道なり道路が渋滞している場合、交差道路からの車両が交差点内に滞留してしまう可能性が高く、同様に、交差道路が渋滞している場合も交差道路からの車両が交差点内に滞留してしまう可能性が高くなる。従って、これらの渋滞状況に基づいて推定することによって、適切なタイミングで発進促進処理を行うことができる。
【００１０】
本発明に係る運転支援装置において、遅延推定手段は、信号機における発進タイミング遅延時間を学習すると共に、学習結果に基づいて、自車両が発進可能となるタイミングが遅れるか否かを推定することが好ましい。インフラ情報やプローブ情報や自車両の過去の走行データに基づいて予め対象となる信号機における発進タイミング遅延時間を学習しておくことによって、その学習結果に基づいて適切なタイミングで発進促進処理を行うことができる。
【発明の効果】
【００１１】
本発明によれば、運転者に対する発進促進処理の確実性を向上させることができると共に、運転支援の安全性を一層向上させることができる。
【発明を実施するための最良の形態】
【００１２】
以下、図面を参照して本発明に係る運転支援装置の好適な実施形態について詳細に説明する。
【００１３】
まず、本発明の実施形態に係る運転支援装置１の構成を説明する。図１は、本発明の実施形態に係る運転支援装置１のブロック構成を示した図である。運転支援装置１は、車両が交差点などで信号待ちをしている場合であって信号機が青に変化したとき、運転者に対して発進を促すようなメッセージや音声を発することによって、発進の遅れを低減する機能を有するものである。図１に示すように、運転支援装置１は、ＥＣＵ（Electronic Control Unit）２、通信部３、表示部４、記憶部５、報知部６を備えて構成されている。
【００１４】
通信部３は、信号機やその周辺に設けられた通信機や他車両に設けられた通信機などと通信する機能を有しており、図示しないアンテナから構成されている。この通信部３は、それらの通信機からインフラ情報やＶＩＣＳ等の交通情報やプローブ交通情報を受信する機能を有している。通信部３は、受信した情報をＥＣＵ２に出力する機能を有している。
【００１５】
表示部４は、車内に設けられた液晶ディスプレイやヘッドアップディスプレイなどから構成されており、運転者に対するメッセージを表示する機能を有している。本実施形態では、発進を促す旨のメッセージを表示することができる。報知部６は、車内に設けられたスピーカによって構成されており、運転者に対するメッセージを音声によって伝達する機能を有している。本実施形態では、発進を促す旨のメッセージを音声で報知し、あるいは警告音などで伝達することができる。
【００１６】
記憶部５は、車載コントローラのメモリやＨＤＤなどから構成されており、情報を記憶する機能を有している。本実施形態においては、記憶部５は、自車両が過去に走行した交差点において、信号機の切り替わりからどの程度の時間だけ発進が遅れたか（以下、発進タイミング遅延時間と呼ぶ）を記憶することができる。また、取得したインフラ情報やセンターから配信されるプローブ情報を記憶することもできる。
【００１７】
ＥＣＵ２は、運転支援装置１全体の制御を行う電子制御ユニットであり、例えばＣＰＵを主体として構成され、ＲＯＭ、ＲＡＭ、入力信号回路、出力信号回路、電源回路などを備えている。ＥＣＵ２は、インフラ情報受信部（表示色情報取得手段）７、交通情報受信部８、プローブ情報受信部９、遅延推定部（遅延推定手段）１１、発進促進部（発進促進手段）１２を備えて構成されている。
【００１８】
インフラ情報受信部７は、通信部３で受信した情報のうち、インフラ情報を取得する機能を有している。インフラ情報は信号機やその周辺に設けられた通信機から発信されるものであり、その中には道路の形状や大きさや横断歩道の有無に関する情報を有する道路線形情報、信号機の種類や表示色情報や青信号時間の長さや赤信号の残り時間や歩行者用信号の有無に関する情報を有する信号情報、及び交差点における発進タイミング遅延時間に関する情報などが含まれている。インフラ情報受信部７は、受信したインフラ情報を遅延推定部１１へ出力する機能を有している。
【００１９】
交通情報受信部８は、通信部３で受信した情報のうち、交通情報を取得する機能を有している。交通情報はＶＩＣＳなどのように光ビーコンや電波ビーコン等から取得できるものであり、道路における交通渋滞に関する情報が含まれている。本実施形態では、特に、自車両が停止している交差点における道のり道路の渋滞状況と交差道路の渋滞状況に関する情報を取得する。交通情報受信部８は、受信した交通情報を遅延推定部１１へ出力する機能を有している。
【００２０】
プローブ情報受信部９は、通信部３で受信した情報のうち、プローブ情報を取得する機能を有している。本実施形態におけるプローブ情報とは、プローブ機能を備えた複数の他車両からの情報を集約したセンターから配信されるセンター型プローブ情報である。プローブ情報には、各交差点における発進タイミング遅延時間に関する情報が含まれている。
【００２１】
発進促進部１２は、インフラ情報受信部７で取得した表示色情報及び遅延推定部１１の推定結果に基づき、停止あるいは徐行している自車両の運転者に対し、表示部４あるいは報知部６を介して発進を促す処理を行う機能を有している。発進促進部１２は、通常時においては、信号機が赤から青に切り替わったときに、「信号機が切り替わったため発進が可能となっているにも関らず自車両の発進が遅れている」旨の通知（以下、発進遅れ通知と呼ぶ）を表示部４に表示し、あるいは報知部６で発進遅れ通知を音声として伝達する機能を有している。また、発進促進部１２は、例えば、信号が切り替わったにも関わらず交差点内に他車両が滞留することなどによって、遅延推定部１１により自車両が発進可能となるタイミングが遅れると推定された場合、推定されなかった場合に比して発進遅れ通知を行うタイミングを遅らせる機能を有している。
【００２２】
遅延推定部１１は、信号機の切り替わり後、自車両が発進可能となるタイミングが遅れるか否かを推定する機能を有すると共に、インフラ情報受信部７で受信したインフラ情報に含まれている信号機の表示色情報に基づいて、本実施形態に係る発進促進処理を行うための条件が満たされているか否かを判定する機能を有している。遅延推定部１１は、インフラ情報、交通情報に基づいて、信号機の切り替わり後にも関らず自車両の前方に他車両が滞留することによって自車両が発進可能となるタイミングが遅れる可能性がある場合や、インフラ情報、プローブ情報、及び自車両の過去の走行情報に基づいて、信号機の切り替わり後でも自車両が発進可能となるタイミングが遅れる可能性がある場合に、自車両が発進可能となるタイミングが遅れると推定する機能を有している。また、遅延推定部１１は、信号機の表示色情報に基づいて、前方の信号機が赤色を表示すると共に自車両が交差点手前で停車あるいは徐行している場合に本実施形態に係る発進促進処理の条件を満たすと判定する機能を有している。また、遅延推定部１１は、インフラ情報解析部１３、道路幅判定部１４、歩行者道路判定部１６、信号判定部１７、渋滞判定部１８、学習部１９を備えて構成されている。
【００２３】
インフラ情報解析部１３は、インフラ情報受信部７から各種情報を含んだインフラ情報が取得できたか否かを判定する機能を有すると共に、取得したインフラ情報を解析することによって各種情報を取得する機能を有している。具体的には、インフラ情報解析部１３は、インフラ情報受信部７から出力されたインフラ情報に含まれる道路線形情報を解析することにより、交差点の各道路幅、歩行者用の横断歩道の有無、歩行者用信号の有無に関する情報を取得し、インフラ情報に含まれる信号機情報を解析することにより、交差点の信号機の青信号の時間や赤信号の残秒に関する情報、交差点に存在する信号機の種類（矢灯器か否かなど）に関する情報を取得することができる。インフラ情報解析部１３は、取得した情報を道路幅判定部１４、歩行者道路判定部１６、信号判定部１７へ出力する機能を有している。また、インフラ情報から各交差点における発進タイミング遅延時間を取得し、記憶部５へ出力して記憶させる機能も有している。
【００２４】
道路幅判定部１４は、インフラ情報解析部１３で取得されたインフラ情報に基づいて、自車両前方の道路幅が所定の閾値よりも大きいか否かを判定する機能を有している。道路幅判定部１４によって、自車両前方の道路幅が所定の閾値よりも大きいと判定されると、遅延推定部１１は、信号の切り替わり後に自車両前方に他車両が滞留する可能性が高く、自車両が発進可能となるタイミングが遅れると推定する。
【００２５】
歩行者道路判定部１６は、インフラ情報解析部１３で取得されたインフラ情報に基づいて、道なり道路側に歩行者用信号及び横断歩道が存在するか否かを判定する機能を有している。歩行者道路判定部１６によって、道なり道路側に歩行者用信号あるいは横断歩道が存在すると判定されると、遅延推定部１１は、信号の切り替わり後に自車両前方に他車両が滞留する可能性が高く、自車両が発進可能となるタイミングが遅れると推定する。
【００２６】
信号判定部１７は、インフラ情報解析部１３で取得されたインフラ情報に基づいて、自車両の存在する道路と交差する交差道路における信号機が矢灯器であるか否かを判定する機能を有すると共に、その交差道路信号機の青信号時関が所定の閾値より大きいか否かを判定する機能を有している。信号判定部１７によって、交差道路信号機が矢灯器であると判定され、あるいは、交差道路信号機の青信号時間が所定の閾値より大きいと判定された場合、遅延推定部１１は、信号の切り替わり後に自車両前方に他車両が滞留する可能性が高く、自車両が発進可能となるタイミングが遅れると推定する。
【００２７】
渋滞判定部１８は、交通情報受信部８から交通情報が取得できたか否かを判定する機能を有すると共に、その交通情報に基づいて道なり道路あるいは交差道路が渋滞しているか否かを判定する機能を有している。渋滞判定部１８によって、道なり道路あるいは交差道路のいずれかが渋滞していると判定された場合、遅延推定部１１は、信号の切り替わり後に自車両前方に他車両が滞留する可能性が高く、自車両が発進可能となるタイミングが遅れると推定する。
【００２８】
学習部１９は、記憶部５に記憶されているインフラ情報やプローブ情報や自車両の過去の走行による情報に基づいて、道路上の各交差点や各信号機における発進タイミング遅延時間を学習する機能を有している。学習部１９は、学習結果を記憶部５に出力して記憶させる機能を有している。なお、発進タイミング遅延時間の学習方法としては、対象交差点における最新のデータを当該交差点における発進タイミング遅延時間として学習してもよく、あるいは対象交差点において取得したデータに基づく演算値（例えば平均値）を当該交差点における発進タイミング遅延時間として学習してもよい。また、学習部１９は、所定の交差点で赤信号待ちをしているときに、当該交差点における発進タイミング遅延時間の学習が既に行われているか否かを記憶部５を参照することによって判定する機能を有すると共に、学習した発進タイミング遅延時間が所定の閾値よりも大きいか否かを判定する機能を有している。学習部１９によって、学習した発進タイミング遅延時間が所定の閾値よりも大きいと判定された場合、遅延推定部１１は、信号の切り替わり後に自車両前方に他車両が滞留する可能性が高く、自車両が発進可能となるタイミングが遅れると推定する。
【００２９】
次に、図２及び図３を参照して、本実施形態に係る運転支援装置１の動作について説明する。図２は、本実施形態に係る運転支援装置１における発進促進処理を示すフローチャートである。図３は、交差点で自車両が信号待ちをしている状態を示す図である。本実施形態においては、図３に示すように、自車両Ｍ１が交差点で信号待ちをしている状況における制御について説明する。図３においては、本実施形態に係る発進促進処理がなされる自車両Ｍ１が、前方の信号機Ｓ１の表示によって交差点ＣＲの手前で停車（あるいは徐行）している状況を示す。この図３では、自車両Ｍ１から見て道なりになる道路を道なり道路Ｌ１とし、自車両Ｍ１から見て右側から車両が走行してくる道路を右側交差道路Ｌ２とし、右側交差道路Ｌ２上の車両に対する信号機を交差道路信号機Ｓ２とする。この処理は、ＥＣＵ２において、車両の運転中、所定のタイミングで繰り返し実行される。
【００３０】
図２に示すように、運転支援装置１は、発進促進条件判定処理から処理を開始する（ステップＳ１０）。Ｓ１０の処理は、遅延推定部１１で実行され、インフラ情報受信部７から出力された信号機Ｓ１の表示色情報に基づいて、発進促進処理を行うための条件が満たされているか否かを判定する処理である。具体的には、信号機Ｓ１の表示色情報に基づいて、前方の信号機Ｓ１が赤色を表示すると共に自車両Ｍ１が交差点ＣＲ手前で停車あるいは徐行している場合（図３参照）は、発進促進処理の条件を満たすと判定し、前方の信号機Ｓ１が青色を表示すると共に自車両Ｍ１が交差点を走行して通過する場合は発進促進処理の条件を満たしていないと判定する。Ｓ１０で発進促進処理の条件を満たさないと判定されると、図２に示す発進促進処理は終了し、再びＳ１０から処理が開始される。一方、Ｓ１０で発進促進処理の条件を満たすと判定されると、インフラ情報取得判定処理へ移行する（ステップＳ１２）。
【００３１】
Ｓ１２の処理は、インフラ情報解析部１３で実行され、インフラ情報受信部７から各種情報を含んだインフラ情報が取得できたか否かを判定する処理である。Ｓ１２では、信号機Ｓ１の表示色情報以外のインフラ情報が取得できなかった場合は、インフラ情報に基づく各判定処理は省略されて、交通情報取得判定処理へ移行する（ステップＳ２２）。ステップＳ２２以降の処理については後述する。一方、Ｓ１２において、信号機の表示色情報以外のインフラ情報が取得できた場合は、インフラ情報が取得できたと判定すると共に、そのインフラ情報を解析することによって各種情報を取得し、道路幅判定処理へ移行する（ステップＳ１４）。
【００３２】
Ｓ１４の処理は、道路幅判定部１４で実行され、Ｓ１２の処理で取得されたインフラ情報に基づいて、自車両前方の道路幅が所定の閾値よりも大きいか否かを判定する処理である。具体的には、自車両前方の道なり道路Ｌ１とその対向車線Ｌ３の道幅を足し合わせた道路幅ＬＷ（図３参照）が予め設定しておいた所定の閾値よりも大きいか否かを判定する。道路幅ＬＷが大きい場合は、歩行者Ｈがその道路を横断しきるまでに時間がかかるため、歩行者用信号が点滅して赤色に変化した後でも道路上に歩行者Ｈが存在してしまう。これによって、交差道路からの右左折車両が交差点中に滞留する可能性が高くなる。特に、道路幅ＬＷが大きい場合は交差点ＣＲの大きさも大きくなり、大回りをして交差点ＣＲ内で信号機Ｓ１が青色となるのを待機する車両が増加するため、交差点ＣＲ内に車両が滞留する可能性が高くなる。従って、Ｓ１４において、道路幅ＬＷ＞閾値と判定された場合は、発進遅れ通知タイミング遅延処理へ移行する（ステップＳ３２）。
【００３３】
Ｓ３２の処理は、発進促進部１２で実行され、発進遅れ通知のタイミングを、通常時よりも遅らせて通知する処理である。なお、通常時とは自車両の前方に他車両の滞留などがなく、信号機の切り替わり後に速やかに発進可能な状態である。Ｓ３２の処理では、予め遅延時間を設定しておき、信号機が赤色から青色に切り替わって設定遅延時間経過後に、表示部４や報知部６を介して運転者に対して発進遅れ通知を行う。Ｓ３２の処理が終了すると、図２に示す処理が終了し、再びＳ１０から処理が開始される。
【００３４】
一方、Ｓ１４において、道路幅ＬＷが閾値以下であると判定された場合は、歩行者用信号／横断歩道判定処理へ移行する（ステップＳ１６）。Ｓ１６の処理は、歩行者道路判定部１６で実行され、Ｓ１２で取得されたインフラ情報に基づいて、道なり道路Ｌ１側に歩行者用信号ＷＳあるいは横断歩道ＷＬが存在するか否かを判定する処理である。歩行者用信号ＷＳあるいは横断歩道ＷＬが存在する場合は、信号機Ｓ１の切り替わり時においても歩行者Ｈが横断歩道ＷＬ上に存在する可能性が高まるため、横断歩道ＷＬの手前で待機する車両が存在する可能性が高くなる。従って、Ｓ１４において、歩行者用信号ＷＳあるいは横断歩道ＷＬが存在すると判定された場合は、発進遅れ通知タイミング遅延処理へ移行する（ステップＳ３２）。
【００３５】
一方、Ｓ１６において、歩行者用信号ＷＳ及び横断歩道ＷＬが存在しないと判定された場合は、矢灯器判定処理へ移行する（ステップＳ１８）。Ｓ１８の処理は、信号判定部１７で実行され、Ｓ１２で取得されたインフラ情報に基づいて、交差道路信号機Ｓ２が矢灯器であるか否かを判定する処理である。交差道路信号機が矢灯器である場合は、右側交差道路Ｌ２からの右折車両が交差点ＣＲ内に滞留する可能性が高くなる。従って、Ｓ１８において、交差道路信号機Ｓ２が矢灯器であると判定された場合は、発進遅れ通知タイミング遅延処理へ移行する（ステップＳ３２）。
【００３６】
一方、Ｓ１８において、交差道路信号機Ｓ２が矢灯器でないと判定された場合は、青信号時間判定処理へ移行する（ステップＳ２０）。Ｓ２０の処理は、信号判定部１７で実行され、Ｓ１２で取得されたインフラ情報に基づいて、交差道路信号機Ｓ２の青信号時間が所定の閾値より大きいか否かを判定する処理である。交差道路信号機Ｓ２の青信号の時間が予め設定した所定の閾値よりも長い場合は、右側交差道路Ｌ２からの右折車両が交差点ＣＲ内に滞留する可能性が高くなる。従って、Ｓ１８において、交差道路信号機Ｓ２の青信号時間が所定の閾値より大きいと判定された場合は、発進遅れ通知タイミング遅延処理へ移行する（ステップＳ３２）。
【００３７】
一方、Ｓ２０において、交差道路信号機Ｓ２の青信号時間が所定の閾値以下であると判定された場合は、交通情報取得判定処理へ移行する（ステップＳ２２）。Ｓ２２の処理は、渋滞判定部１８で実行され、交通情報受信部８から交通情報が取得できたか否かを判定する処理である。Ｓ２２では、交通情報が取得できなかった場合は、交通情報に基づく判定処理は省略されて、学習判定処理へ移行する（ステップＳ２６）。ステップＳ２６以降の処理については後述する。一方、Ｓ２２において、交通情報が取得できた場合は、渋滞判定処理へ移行する（ステップＳ２４）。
【００３８】
Ｓ２４の処理は、渋滞判定部１８で実行され、Ｓ２２で取得された交通情報に基づいて道なり道路Ｌ１あるいは右側交差道路Ｌ２が渋滞しているか否かを判定する処理である。道なり道路Ｌ１が渋滞している場合、右側交差道路Ｌ２からの車両が交差点ＣＲ内に滞留してしまう可能性が高く、同様に、右側交差道路Ｌ２が渋滞している場合も右側交差道路Ｌ２からの車両が交差点ＣＲ内に滞留してしまう可能性が高くなる。従って、Ｓ２４において、道なり道路Ｌ１あるいは右側交差道路Ｌ２の少なくとも一方が渋滞していると判定された場合は、発進遅れ通知タイミング遅延処理へ移行する（ステップＳ３２）。
【００３９】
一方、Ｓ２４において、道なり道路Ｌ１及び右側交差道路Ｌ２のいずれも渋滞していないと判定された場合は、学習判定処理へ移行する（ステップＳ２６）。Ｓ２６の処理は、学習部１９で実行され、待機中の交差点ＣＲについて、発進タイミング遅延時間の学習が既に行われているか否かを記憶部５を参照することによって判定する処理である。なお、学習部１９は、自車両の走行中に自ら交差点の発進タイミング遅延時間を取得したり、走行中にインフラ情報やプローブ情報を常時記憶部５から読み出すことによって、予め各交差点の発進タイミング遅延時間を学習している。Ｓ２６において、学習がなされていないと判定されると、通常発進遅れ通知処理へ移行する（ステップＳ３０）。通常発進遅れ通知処理については後述する。
【００４０】
一方、Ｓ２６において、学習済みであると判定されると、発進タイミング遅延判定処理へ移行する（ステップＳ２８）。Ｓ２８の処理は、学習部１９で実行され、予め学習した交差点ＣＲにおける発進タイミング遅延時間が所定の閾値よりも大きいか否かを判定する処理である。学習した発進タイミング遅延時間が予め設定した閾値よりも大きい場合は、信号機Ｓ１が赤色から青色に変わった後も発進可能となるまでの間に時間がかかる可能性が高い。従って、Ｓ２８において、発進タイミング遅延時間が閾値よりも大きいと判定された場合は、発進遅れ通知タイミング遅延処理へ移行する（ステップＳ３２）。
【００４１】
一方、Ｓ２８において、発進タイミング遅延時間が閾値以下であると判定された場合は、通常発進遅れ通知処理へ移行する（ステップＳ３０）。Ｓ３０の処理は、発進促進部１２で実行され、通常のタイミングで発進遅れ通知を行う処理である。具体的には、交差点ＣＲ内に車両が滞留していない状態であって、信号機Ｓ１が赤色から青色に変化したタイミングで、表示部４あるいは報知部６を介して運転者に発進遅れ通知がなされる。Ｓ３０の処理が終了すると、図２に示す処理が終了し、再びＳ１０から処理が開始される。
【００４２】
以上のように、本実施形態に係る運転支援装置１によれば、信号機Ｓ１の切り替わり後、自車両Ｍ１が発進可能となるタイミングが遅れるか否かを推定する遅延推定部１１と、インフラ情報における表示色情報及び遅延推定部１１の推定結果に基づき、停止あるいは徐行している自車両Ｍ１の運転者に対して発進遅れ通知をすることのできる発進促進部１２とを備えており、発進促進部１２は、遅延推定部１１によって自車両Ｍ１が発進可能となるタイミングが遅れると推定された場合、推定されなかった場合に比して発進遅れ通知を行うタイミングを遅らせる。これによって、信号機が切り替わった後であっても、例えば、交差点内に他車両が滞留することによって、自車両が発進可能となるタイミングが遅れる可能性のある場合、運転者に対して発進を促す発進遅れ通知のタイミングも遅らせることによって、適切なタイミングで発進遅れ通知を行うことを可能とする。以上により、発進遅れ通知の確実性を向上させることができ、運転支援の安全性を一層向上させることができる。
【００４３】
本発明は上述した実施形態に限定されるものではない。
【００４４】
例えば、本実施形態では、運転者に対して発進を促す処理として、発進遅れ通知を行う場合について述べたが、これに代えて、信号待ちの場面において残りの停止時間の目安（すなわち赤信号の残時間）を通知する停止目安時間通知を表示部４あるいは報知部６を介して行うこともできる。停止目安時間が通知されることによって、運転者は信号切り替わり時の発進の構え・安全確認を準備して、停止目安時間がゼロとなったときに発進が促され、自車両を発進させることができる。この場合は、遅延推定部１１によって自車両が発進可能となるタイミングが遅れると推定された場合に、通知する停止目安時間を長くすることによって、結果として運転者に対して発進を促すタイミングを遅らせることができる。
【００４５】
また、本実施形態では、インフラ情報による道路幅、歩行者用信号や横断歩道の有無を個々に判定していたが、例えば、道路幅と歩行者用信号が青色になっている時間（あるいは点滅時間）との関係から、歩行者が横断歩道を横断しきれないことによって、右左折車両が横断歩道前で待機する必要がある時間を算出し、発進遅れ通知のタイミングを遅らせる時間を調整することも可能である。
【００４６】
更に、本実施形態では、道路幅や横断歩道や学習情報などの各判定要素を個々に判定して、何れかの判定要素によって発進可能なタイミングが遅れると判定した場合は、全て同一の時間だけ発進遅れ通知のタイミングを遅らせていたが、判定要素によって発進遅れ通知を遅らせるタイミングを変更してもよい。例えば、道路幅が大きいと判定した場合に比べて、交差道路が矢灯器であると判定した場合に発進遅れ通知のタイミングを遅くしてもよい。また、各判定要素の影響の大きさによって発進遅れ通知を遅らせるタイミングを調整してもよい。例えば、道路幅が大きくなるにつれて通知を遅らせるタイミングを遅くし、渋滞の程度に合わせて通知を遅らせるタイミングを調整してよい。更に、各判定要素を全て判定し、全ての要素を総合的に判断して通知を遅らせるタイミングを調整してもよい。
【００４７】
また、本実施形態では、自車両の前方に他車両が滞留する可能性があるか否かや、学習した発進タイミング遅延時間などに基づいて自車両が発進可能となるタイミングが遅れるか否かを推定していたが、これに代えて、自車両が停止したときの、自車両と停止線との間の残距離に応じて推定してもよい。すなわち、停止線よりも手前で停止した場合には、自車両と停止線との間に他車両が存在する可能性があり、他車両が発進するまで自車両が発進することができないため、発進タイミングが遅れると推定することができる。このとき、存在する他車両の推定台数に応じて遅らせる発進遅れ通知のタイミングを調整することができる。
【００４８】
また、本実施形態では、図２に示す全ての判定要素の判定処理を行ったが、いずれか一つの、あるいは複数の判定要素を省略してもよい。また、図２に示す判定要素のうち、いずれか一つのみの判定によって遅延を推定してもよい。
【００４９】
また、本実施形態では、交差点における発進促進処理について述べたが、交差点のみに限定されず、例えば、道なり道路に横断歩道及び信号機が存在するような場所でもよく、要は信号機の表示色によって信号待ちが発生する場所であれば、いずれの場面でも適用可能である。
【図面の簡単な説明】
【００５０】
【図１】本発明の実施形態に係る運転支援装置のブロック構成を示した図である。
【図２】本発明の実施形態に係る運転支援装置における発進促進処理を示すフローチャートである。
【図３】自車両が、前方の信号機の表示によって交差点の手前で停車している状況を示す図である。
【符号の説明】
【００５１】
１…運転支援装置、７…インフラ情報受信部（表示色情報取得手段）、１１…遅延推定部（遅延推定手段）、１２…発進促進部（発進促進手段）、Ｓ１…信号機、Ｍ１…自車両。
【図１】
2010152494.tif 000003
【図２】
2010152494.tif 000004
【図３】
2010152494.tif 000005